(57)【要約】【課題】機器ケース内のアンテナの受信感度を向上させることができる電子機器を提供する。【解決手段】アモルファス金属から成るコア５ａと、このコア５ａに巻回されたコイル５ｂとを備えるアンテナ５を時計ケース２に配置した腕時計１００において、コア５ａの両端面部５３、５３を時計ケース２から外部に露出させる。これにより、機器ケースに遮られることなく該両端部によって直接電波を捕捉することができることとなって、電波を効率よく且つ確実に受信することができる。【選択図】図１
2006115186.tif 000002
【特許請求の範囲】
【請求項１】
コアと、このコアに巻回されたコイルとを備えるアンテナを機器ケースに配置した電子機器において、
前記コアの両端面部が前記機器ケースから外部に露出していることを特徴とする電子機器。
【請求項２】
前記両端面部の面積が、前記コアの中央部の断面積よりも大きく形成されてなることを特徴とする請求項１に記載の電子機器。
【請求項３】
前記コアの両端に、バンドを取り付けるバンド取付部を備えることを特徴とする請求項１または２に記載の電子機器。
【請求項４】
前記機器ケースは、バンドを取り付けるバンド取付部を備え、
前記コアの両端面部が、前記バンド取付部に取り付けられたバンドに対向していることを特徴とする請求項１または２に記載の電子機器。
【請求項５】
前記コアが、
前記機器ケースの内側に配置される第１の磁性部材と、
前記機器ケースから露出して配置される第２の磁性部材と、
磁性材料からなり、前記第１の磁性部材と前記第２の磁性部材とを連結する連結部材と、を備えることを特徴とする請求項１〜４の何れか一項に記載の電子機器。
【請求項６】
前記コアは、アモルファス金属からなることを特徴とする請求項１〜５の何れか一項に記載の電子機器。
【発明の詳細な説明】
【技術分野】
【０００１】
本発明は、電子機器に関する。
【背景技術】
【０００２】
従来、内蔵したアンテナで、セシウム原子時計によって生成される標準時刻信号をのせた電波（以下、「標準電波」という。）を受信し、標準電波信号による時刻情報を時計内部で解析することによって時刻修正を行い、正確な時刻を刻む時計として電波時計が広く知られている。
標準電波を受信するためのアンテナは、磁性体のコアと、このコアに巻きつけられたコイルとからなる。そして、該コイル内部に標準電波による磁界（以下、「信号磁界」という。）による磁束（以下、「信号磁束」という。）を通過させることによってコイルに電流を発生させて、時刻修正を行う。
標準時刻信号をのせた信号を確実に受信するためには、アンテナによる標準電波の受信感度を上げる必要があり、受信感度を上げるために、コアの両端部の断面積を大きくしてより多くの信号磁束をコイル内に通過可能としたアンテナが知られている（例えば、特許文献１参照）。
ここで、アンテナのコイル内部を信号磁束が通過すると、コイルには信号磁束の変化を妨げる方向に電流が流れ、該電流によって、信号磁束とは逆向きの磁束（以下、「発生磁束」という。）が発生する。この発生磁束がアンテナの近傍に位置する金属体を突き抜ける際、磁束に直角の同心円状に、渦電流とよばれる電流が流れる。金属体に渦電流が発生すると、金属体の持つ電気抵抗によって熱が放出され、エネルギーが失われることが知られている。
【特許文献１】特開昭５５−９１２３７号公報
【発明の開示】
【発明が解決しようとする課題】
【０００３】
特許文献１に挙げたアンテナにおいては、アンテナを収納する機器ケースを金属製のものとした場合に、アンテナの近傍に導体である金属が配置されることとなる。このため、コイルを信号磁束が通過することによって機器ケースに渦電流が発生し、該渦電流によってエネルギーが熱損失として消費されてしまい、アンテナの受信感度を低下させてしまうという問題があった。
【０００４】
そこで、本発明の課題は、機器ケース内のアンテナの受信感度を向上させることができる電子機器を提供することである。
【課題を解決するための手段】
【０００５】
以上の課題を解決すべく、請求項１に記載の発明は、コア（例えば、図１、２のコア５ａ）と、このコアに巻回されたコイル（例えば、図１、２のコイル５ｂ）とを備えるアンテナ（例えば、図１、２のアンテナ５）を機器ケース（例えば、図１、２の時計ケース２）に配置した電子機器（例えば、図１〜５の腕時計１００）において、前記コアの両端面部（例えば、図３、５の端面部５３）が前記機器ケースから外部に露出していることを特徴とする。
【０００６】
請求項２に記載の発明は、請求項１に記載の電子機器において、前記両端面部の面積が、前記コアの中央部（例えば、図５の中央部５１）の断面積よりも大きく形成されてなることを特徴とする。
【０００７】
請求項３に記載の発明は、請求項１または２に記載の電子機器（例えば、図９の腕時計３００）において、前記コア（例えば、図９のコア３０５ａ）の両端に、バンド（例えば、図９のバンド１Ｂ）を取り付けるバンド取付部（例えば、図９のバンド取付部３０２Ｂ）を備えることを特徴とする。
【０００８】
請求項４に記載の発明は、請求項１または２に記載の電子機器（例えば、図１２の腕時計５００）において、前記機器ケース（例えば、図１２の時計ケース５０２）は、バンド（例えば、図１２のバンド１Ｂ）を取り付けるバンド取付部（例えば、図１２のバンド取付部５０２Ｂ）を備え、前記コアの両端面部（例えば、図１２の端面部５５３）が、前記バンド取付部に取り付けられたバンドに対向していることを特徴とする。
【０００９】
請求項５に記載の発明は、請求項１〜４の何れか一項に記載の電子機器（例えば、図１４の腕時計６００）において、前記コア（例えば、図１４のコア６０５ａ）が、前記機器ケース（例えば、図１４の時計ケース６０２）の内側に配置される第１の磁性部材（例えば、図１４の第１の磁性部材６１５）と、前記機器ケースから露出して配置される第２の磁性部材（例えば、図１４の第２の磁性部材６２５）と、磁性材料からなり、前記第１の磁性部材と前記第２の磁性部材とを連結する連結部材（例えば、図１４の連結部材６３５）と、を備えることを特徴とする。
【００１０】
請求項６に記載の発明は、請求項１〜５の何れか一項に記載の電子機器（例えば、図１の腕時計１００）において、前記コアは、アモルファス金属からなることを特徴とする。
【発明の効果】
【００１１】
請求項１に記載の発明によれば、電波を捕捉するコアの両端面部が機器ケースから外部に露出しているので、機器ケースに遮られることなく該両端面部によって直接電波を捕捉することができることとなって、電波を効率よく且つ確実に受信することができる。これにより、機器ケース内のアンテナの受信感度を向上させることができる。
【００１２】
請求項２に記載の発明によれば、電波を捕捉するコアの両端面部の面積が、コアの中央部の断面積よりも大きい形状であることによって、電波の受信感度をより向上させることができるとともに、受信可能な方向が増えるので、指向性を緩和させることができ、より効率よく且つ確実に電波を受信することができる。
【００１３】
請求項３に記載の発明によれば、コアのバンド取付部にバンドが接続されることとなって、コアと機器ケースとの外観が異なる場合であっても、その違いを際立たせることなく、見栄えを損なうことなくコアを露出させることができる。
【００１４】
請求項４に記載の発明によれば、機器ケースから外部に露出するコアの両端面部は、バンド取付部に取り付けられたバンドに対向しているので、バンド取付部にバンドを取り付けることによって、コアの両端面部がバンドに遮られて外部から見えにくくなることとなって、コアと機器ケースとの外観が異なる場合であっても、その違いを際立たせずに、見栄えを損なうことなくコアを露出させることができる。
【００１５】
請求項５に記載の発明によれば、機器ケースを挟んで第１の磁性部材と第２の磁性部材とが連結部材で連結されてコアが形成されるので、単体のコアに比べて構造設計の自由度を高めることができることとなって、デザイン性を高めたり、より機器ケースとの機密性を保てる構造にすることができる。
【００１６】
請求項６に記載の発明によれば、コアがアモルファス金属によって形成されることによって、高い強度と透磁性とを備えることとなって、より確実に電波を捕捉することができる。
【発明を実施するための最良の形態】
【００１７】
以下、図面を参照して、本発明を実施するための最良の形態を説明する。
（実施形態１）
【００１８】
図１は、本発明の実施形態１における腕時計の概略構成を示す平面図である。図２は、図１のＩＩ−ＩＩ線における矢視断面図である。図３は、図１の腕時計の右側面図である。また、図４は図３のＩＶ−ＩＶ線における端面部近傍の断面図である。
【００１９】
本発明の電子機器を適用した実施形態１として例示する電子機器としての腕時計１００は、図１、２に示すように、アンテナ５を内蔵し、標準時刻に係る時刻情報をのせた電波（以下、「標準電波」という。）を受信して、表示時刻を修正するものである。
腕時計１００には、時計計時部１を内部に収納する機器ケースとしての金属製の時計ケース２が備えられ、時計ケース２の上部中央には時計ガラス２ａがパッキン２ｂを介して装着されている。
また、この時計ケース２の下面には、裏蓋２ｃが防水リング２ｄを介して取り付けられており、時計計時部１と裏蓋２ｃとの間には、緩衝部材２ｅが設けられている。
【００２０】
時計計時部１は、上部ハウジング部１ａや下部ハウジング部１ｂ、時針や秒針等の指針４ｂを文字板３上で運針させるアナログ指針機構４、標準電波を受信するアンテナ５、アナログ指針機構４やアンテナ５を接続してこれらを制御する回路基板６を備えている。また、下部ハウジング部１ｂ、上部ハウジング部１ａ、文字板３は、それぞれの周縁部が時計ケース２の内側周面に設けられている中枠２ｆに取り付けられた構造となっており、下部ハウジング部１ｂ、上部ハウジング部１ａ、中枠２ｆのアンテナ５の配置箇所に対応する部分は切り欠かれ、アンテナ５の収納スペースが確保されている。
【００２１】
下部ハウジング部１ｂは、裏蓋２ｃの上部に設けられた緩衝部材２ｅの上方に支持され、下部ハウジング部１ｂと上部ハウジング部１ａとの間には回路基板６が配置されている。また、上部ハウジング部１ａの上面に文字板３が配置されている。
【００２２】
上部ハウジング部１ａにはアナログ指針機構４が備えられている。アナログ指針機構４は、文字板３に形成された軸孔３ａからその上方に延びる指針軸４ａと、指針軸４ａに取り付けられた時針、分針等の指針４ｂとを有し、指針４ｂを文字板３の上方で運針させる。アナログ指針機構４を動作させるための電池（図示省略）は、例えば下部ハウジング部１ｂに組み込まれている。
【００２３】
時計ケース２は、略円筒形状からなるケース本体２Ａと、ケース本体２Ａの６時方向及び１２時方向の側面から各々外方に突出して形成されるバンド取付部２Ｂ、２Ｂなどを備えて構成されている。
ケース本体２Ａの側面には、底面側に開口した矩形状の二つの切欠部２０Ａ、２０Ａが形成されている。
切欠部２０Ａ、２０Ａは、ケース本体２Ａ側面に、バンド取付部２Ｂを挟んで略対向する位置に形成されている。また、切欠部２０Ａは、６時方向側のバンド取付部２Ｂよりも１２時方向側のバンド取付部２Ｂに近い位置に設けられている。
バンド取付部２Ｂ、２Ｂは、３時９時方向に間隔を開けて対向する２本のピン固定部１０２Ｐ、１０２Ｐと、ピン固定部１０２Ｐ、１０２Ｐの間に、バンド１Ｂを取り付けて腕時計１００を腕に装着可能とするバンド固定ピン２Ｐを備え、このピン固定部１０２Ｐとバンド固定ピン２Ｐとケース本体２Ａとによって囲まれた領域に、略矩形状の貫通した開口部３０Ａが形成される。
【００２４】
アンテナ５は上部ハウジング部１ａに備えられ、図１、２に示すように、磁性体のコア５ａと、このコア５ａに巻回されたコイル５ｂとを備えて構成されている。
図５は、図３のＶ−Ｖ線における概略断面図である。コア５ａは、図５に示すように、例えば、コア５ａの長手方向中央部分に位置する、略四角柱形状の中央部５１と、中央部５１の両端部分に設けられた端部５２、５２とを備えている。
端部５２は、平面視において中央部５１との境界面から、長手方向に離れるに従って幅が広がった形状を有しており、端部５２の端面部５３の外形は、時計ケース２に設けられた切欠部２０Ａの形状と略一致し、端面部５３の面は、ケース本体２Ａの外周面と同一の曲率の曲面となっている。
また、端部５２は、図４に示すように、側面視において、ケース本体２Ａの内部空間に位置する部分は、中央部５１と略同一の厚みとなっており、ケース本体２Ａと重なる部分は、端面部５３に近づくにつれて厚みが厚くなっている。即ち、端部５２の断面積は、ケース本体２Ａと重なる部分が端面部５３に近づくにつれて大きくなるように形成されている。従って、コア５ａの端面部５３の面積は、中央部５１の断面積よりも大きくなるよう形成されている。
【００２５】
アンテナ５は、下部ハウジング部１ｂと文字板３との間において、コア５ａの軸線が裏蓋２ｃ（或いは文字板３）と平行になるよう、上部ハウジング部１ａに備えられている。
さらに、アンテナ５は、時計ケース２内部に、切欠部２０Ａにアンテナ５の端面部５３を嵌め込むようにして配置される。即ち、コア５ａの両端面部５３が時計ケース２から外部に露出するように配置されている。そして、切欠部２０Ａに位置する端部５２と裏蓋２ｃとの間に、絶縁材２ｈを設けることによって、端面部５３とケース本体２Ａとが連続的な曲面を形成しないようにし、端部５２がケース本体２Ａから成る導電体により周回されて、高周波的（交流的）にショート状態にならないように腕時計１００の側面が構成されている。絶縁材２ｈは、裏蓋２ｃと接触すると共に防水効果を有する。また、絶縁材２ｈとしては、例えば、塩化ビニル系、ポリエチレン系、エチレンプロピレン系の材料を用いることができる。
【００２６】
コア５ａは、磁気抵抗の少ないところに集まるという磁束の性質から、透磁率の大きな強磁性体を用いることが好ましい。強磁性体としては、例えば、フェライト、アモルファス金属等があり、この中で、アモルファス金属は、透磁率が高く、強度も高いのでより好ましい。アモルファス金属は、薄膜を複数枚積層させたものでもよいが、コア５ａの形状の自由度の点から、バルク状に成形されたアモルファス金属が更に好ましい。
バルク状のアモルファス金属は、具体的には、例えば、Ｆｅ系合金，Ｐｄ系合金，Ｚｒ系合金，Ｎｉ系合金等であり、Ｆｅ系合金には、Ｆｅ−Ｍ−Ｂ（Ｍ＝Ｃｒ，Ｗ，Ｔａ，Ｎｂ，Ｈｆ，Ｚｒ）系合金、Ｆｅ−Ｃｏ−ＲＥ−Ｂ（ＲＥ＝Ｎｂ，Ｓｍ，Ｔｂ，Ｄｙ）系合金等がある。そして、より具体的には、アモルファス金属は、Ｐｄ40Ｃｕ30Ｎｉ10Ｐ20やＦｅ81Ｂ13Ｓｉ14Ｃ2等の組成からなる。そして、溶解した上記合金は、例えば、鋳造によってバルク状に加工される際に、内部組織がアモルファス化されるようになっている。
ここで、コア５ａは、アモルファス金属により形成することにより、例えば、フェライトのコアよりも中央部５１を細くしても、同等以上の強度を得ることができる。
【００２７】
コイル５ｂは電気を伝達する導体からなり、例えば、銅線を用いることができる。各図においては、説明の簡便のためコイル５ｂの径を太くし、巻回数を少なく図示しているが、コイル５ｂの径および巻回数は適宜設定することができる。
【００２８】
次に、標準電波による磁界（以下、「信号磁界」という。）中にアンテナ５を置いた場合に、アンテナ５に発生する磁束について、図６を用いて説明する。図６はアンテナにおける信号磁束の作用を説明するための図である。
信号磁界中に、アンテナ５を、コア５ａの軸線が信号磁界方向と平行になるように載置すると、図６に示すように、信号磁界による磁束（以下「信号磁束」という。）Ｍ１は周辺空間よりも透磁率の高いコア５ａに集中する。
信号磁束Ｍ１がコア５ａに集中することによって、信号磁束Ｍ１がコイル５ｂと鎖交し、コイル５ｂにはレンツの法則に従って、コイル５ｂの内部での信号磁束Ｍ１の発生を妨げる方向に磁束（以下、「発生磁束」という。）Ｍ２を発生させる誘導起電力Ｖが生じる。
【００２９】
コイル５ｂに生じた誘導起電力Ｖは、コイル５ｂに接続された受信回路（図示省略）によって検出される。受信回路（図示省略）には、受信したい標準電波の周波数（４０ｋＨｚまたは６０ｋＨｚ）に同調させるための同調コンデンサ（図示省略）や損失抵抗（図示省略）が含まれている。尚、受信回路（図示省略）は、例えば回路基板６上に実装される。
【００３０】
誘導起電力Ｖによって発生した発生磁束Ｍ２は、コア５ａの周辺で磁界を発生させる。この磁界はアンテナ５の近傍に位置する金属体、即ち時計ケース２に達し、時計ケース２において渦電流を発生させる。
【００３１】
図７は腕時計の内部構成を示すブロック図である。腕時計１００は、図７に示すように、ＣＰＵ（Central  Processing  Unit）６１、ＲＡＭ（Random  Access  Memory）６２、ＲＯＭ（Read  Only  Memory）６３、入力部６４、表示部６５、電波受信装置６６、タイムコード変換部６７、時計回路部６８、発振回路部６９などを備えて構成される。発振回路部６９を除くこれらの各部はバス６Ｂによって接続され、発振回路部６９は、時計回路部６８に接続される。
【００３２】
ＣＰＵ６１は、所定のタイミング或いは入力部６４から入力された操作信号に応じてＲＯＭ６３に格納されたプログラムを読み出してＲＡＭ６２に展開し、当該プログラムに基づいて腕時計１００を構成する各部への指示やデータの転送等を行う。具体的には、例えば所定時間毎に電波受信装置６６を制御して標準電波の受信処理を実行し、タイムコード変換部６７から入力された標準タイムコード（図示省略）に基づいて計時回路部６８で計数される現在時刻データを修正する。
ＲＡＭ６２は、ＣＰＵ６１の作業領域として用いられ、ＲＯＭ６３から読み出されたプログラムやＣＰＵ６１で処理されたデータ等を一時的に記憶する。
ＲＯＭ６３は、腕時計１００にかかるシステムプログラムやアプリケーションプログラム、本実施の形態を実現するためのプログラムやデータ等を記憶する。
【００３３】
入力部６４は、腕時計１００の各種機能の実行を支持するためのスイッチ２ｇなどであり、これらのスイッチ２ｇが操作されると、対応する操作信号をＣＰＵ６１に出力する。
表示部６５は、文字板３や、ＣＰＵ６１によって制御されるアナログ指針機構４を含み、時計回路部６８より出力された現在時刻を表示する。
【００３４】
電波受信装置６６はアンテナ５、受信回路（図示省略）を備えており、アンテナ５で受信した標準電波の不要な周波数成分をカットして該当する周波数信号を取り出し、この周波数信号を、対応した電気信号に変換し、該信号をタイムコード変換部６７へ出力する。
タイムコード変換部６７は、電波受信装置６６から入力された電気信号をデジタル信号に変換し、標準時刻コードや積算コード、曜日コードなどの時計機能に必要なデータを含む標準タイムコードを生成してＣＰＵ６１に出力する。
時計回路部６８は、発振回路部６９から入力される信号に基づいて現在時刻を算出し、算出した現在時刻をＣＰＵ６１に出力する。発振回路部６９は、常時一定周波数のクロック信号を出力する回路である。
【００３５】
以上に説明した腕時計１００によると、標準電波を捕えるコア５ａの両端面部５３、５３が時計ケース２から外部に露出しているので、該両端面部５３、５３によって直接標準電波を捕えることができることとなって、標準電波を効率よく且つ確実に受信することができる。
また、標準電波を捕えるコア５ａの両端面部５３、５３の面積が、コア５ａの中央部５１の断面積よりも大きい形状であることによって、標準電波の受信感度を向上させることができ、さらに受信可能な方向が増えるので、指向性を緩和させることができる。
従って、標準電波を受信したことによりアンテナ５の近傍で発生する渦電流によるエネルギー損失を補うことができ、高い精度で時刻修正を行うことができる。
さらに、コア５ａをアモルファス金属で成形することによって、コア５ａが高い強度と透磁性とを備えることとなって、より確実に電波を捕捉することができる。更に、コア５ａをバルク状のアモルファス金属により形成することによって、コア５ａの成形の自由度を高めることができる。
【００３６】
なお、コア５ａは長さ方向中央を挟んで左右略対称であることとしたが、時計ケース２から端面部５３が露出するように構成されていれば、左右非対称であっても構わない。
また、本実施形態においては、図３に示すように、端面部５３を、時計ケース２の一部分を切り欠くことによって外部に露出させると共に、切欠部２０Ａに位置する端部５２と裏蓋２ｃとの間に絶縁材２ｈを設けた。これは、金属から成る時計ケース２の一部を刳り貫くことによって端面部５３を露出させた場合、端部５２の周回が刳り貫き部分に接触することで刳り貫き部分を周回する金属が交流的短絡（ショート状態）を生じさせるために、受信電波の適切な受信が困難となるからである。従って、時計ケースが非導電性素材（例えば樹脂など）によって成形される場合には、時計ケースを刳り貫くことによって端面部５３を露出させることとしても構わない。また、交流的短絡防止などの適切な加工を施すことによって、金属製の時計ケース２を刳り貫いて端面部５３を露出させることとしても良い。
また、切欠部２０Ａに位置する端部５２と裏蓋２ｃの間のみに絶縁材２ｈを設けることとしたが、例えば端部５２と時計ケース２との接触面全体に絶縁リングを設けることもできる。
（実施形態２）
【００３７】
次いで、本発明を実施するための実施形態２の腕時計２００について説明する。図８は、本発明を適用した実施形態２としての腕時計２００の概略断面図である。腕時計２００を説明するにあたって、実施形態１の腕時計１００と同一の構成については、同一の符号を付して説明を省略する。
【００３８】
図８に示すように、腕時計２００の時計ケース２０２は、略円筒形状からなるケース本体２０２Ａと、ケース本体２０２Ａの６時方向及び１２時方向の側面から各々外方に突出して形成されるバンド取付部２Ｂ、２Ｂなどを備えて構成されている。
ケース本体２０２Ａの側面には底面側に開口した矩形状の二つの切欠部２２０Ａ、２２０Ａが形成されている。切欠部２２０Ａ、２２０Ａは、バンド取付部２Ｂを挟んで略対向する位置に設けられている。
【００３９】
腕時計２００のアンテナ２０５は、磁性体のコア２０５ａと、このコア２０５ａに巻回されたコイル５ｂとを備えて構成されている。コア２０５ａは、コア２０５ａの長手方向中央部分に位置する、略四角柱状の中央部５１と、中央部５１の両端部分に設けられた端部２５２、２５２とを備えている。
端部２５２は、平面視において中央部５１との境界面から、長手方向に離れるに従って幅が広がった拡幅部２５２ａと、拡幅部２５２ａの先端において６時方向に更に延出した延出部２５２ｂとを備えている。また、端部２５２の端面部２５３の外形は、時計ケース２０２に設けられた切欠部２２０Ａの形状と略一致し、端面部２５３の面は、ケース本体２０２Ａの外周面と同一の曲率の曲面となっている。
端部２５２の断面積は、中央部５１から離れるに従って、即ち、端面部２５３に近づくにつれて広くなるように形成される。従って、コア２０５ａの端面部２５３の面積は、中央部５１の断面積よりも大きくなるよう形成されている。
【００４０】
アンテナ２０５は、時計ケース２０２内部に、切欠部２２０Ａにアンテナ２０５の端部２５２を嵌め込むようにして配置される。即ち、コア２０５ａの両端面部２５３、２５３が時計ケース２０２から外部に露出するように配置される。そして、端面部２５３とケース本体２０２Ａとが連続的な曲面を形成することによって腕時計２００の側面が形成される。
【００４１】
腕時計２００によれば、腕時計１と同様の効果が得られることは無論のこと、アンテナ２０５は、端部２５２が延出部２５２ｂを備えているため、実施形態１のアンテナ５に比べて、ケース本体２０２Ａから露出する面積を大きくすることができる。従って、標準電波を捕捉するコア２０５ａの両端面部２５３の面積が、中央部５１の断面積よりも充分に大きくなるよう形成されることとなって、アンテナ２０５の受信感度をさらに向上させることができるのみならず、受信可能な方向が大きく広がって、さらに指向性を緩和させることができる。
（実施形態３）
【００４２】
次いで、本発明を実施するための実施形態３の腕時計３００について説明する。図９は、本発明の電子機器を適用した実施形態３としての腕時計３００の概略断面図である。腕時計３００を説明するにあたって、実施形態１の腕時計１００と同一の構成については、同一の符号を付して説明を省略する。
【００４３】
図９に示すように、腕時計３００の時計ケース３０２は、略円筒形状からなるケース本体３０２Ａを備えて構成されている。
ケース本体３０２Ａの側面には底面側に開口した矩形状の二つの切欠部３２０Ａ、３２０Ａが形成されている。切欠部３２０Ａ、３２０Ａは、ケース本体３０２Ａにおいて６時方向と１２時方向からなるバンド取り付け方向の位置にそれぞれ設けられている。
【００４４】
腕時計３００のアンテナ３０５は、磁性体のコア３０５ａと、このコア３０５ａに巻回されたコイル５ｂとを備えて構成されている。コア３０５ａは、コア３０５ａの長手方向中央部分に位置する、略四角柱状の中央部５１と、中央部５１の両端部分に設けられた端部３５２、３５２とを備えている。
端部３５２は、中央部５１の両端から長手方向外側に向かって平面視において略三角状に幅が拡がるように延出した拡幅部３５２ａと、この拡幅部３５２ａからコア３０５ａの長手方向外側に向かってさらに平面視において略矩形状に延出した矩形部３５２ｂと、矩形部３５２ｂからコア３０５ａの長手方向外側に突出するとともに、３時９時方向に間隔を開けて対向する２本のピン固定部３０２Ｐ、３０２Ｐとを備えている。矩形部３５２ｂにおける縦断面形状は、切欠部３２０Ａの形状と略一致する。従って、コア３０５ａの端面部３５３の面積は、中央部５１の断面積よりも大きくなるよう形成されている。
また、ピン固定部３０２Ｐ、３０２Ｐの間には、バンド１Ｂを取り付けて腕時計３００を腕に装着可能とするバンド固定ピン２Ｐが取り付けられ、このピン固定部３０２Ｐとバンド固定ピン２Ｐとによって、バンド取付部３０２Ｂを構成している。そして、ピン固定部３０２Ｐとバンド固定ピン２Ｐと矩形部３５２ｂとによって囲まれた領域に、略矩形状の貫通した開口部３３０Ａが形成される。
【００４５】
アンテナ３０５は、時計ケース３０２内部に、切欠部３２０Ａにアンテナ３０５の端部３５２を嵌め込んで、端部３５２の矩形部３５２ｂがケース本体３０２Ａから突出する位置に配置されている。即ち、コア３０５ａの両端面部３５３、３５３が時計ケース３０２から外部に露出するように配置されている。
【００４６】
図１０に、アンテナ３０５のコア３０５ａを通過する信号磁束の模式図を示した。信号磁束Ｍ１は、端面部３５３からコア３０５ａ内に進入し、コア３０５ａを通過する。このとき、コイル５ｂに生じた誘導起電力Ｖによってコア３０５ａに発生磁束Ｍ２が発生する。そして、該発生磁束Ｍ２によって渦電流が近傍の時計ケース３０２において生じる。
【００４７】
腕時計３００によれば、腕時計１００と同様の効果が得られることは無論のこと、アンテナ３０５は、コア３０５ａの両端に設けられたバンド固定ピン２Ｐにバンド１Ｂを接続させることができるので、コア３０５ａの露出部分をバンド取付部３０２Ｂとしてユーザに認識させることができることとなって、コア３０５ａと時計ケース３０２との外観が異なる場合であっても、その違いを際立たせることなく、見栄えを確保しながら高い受信感度を実現することができる。
（実施形態４）
【００４８】
次に、本発明を実施するための実施形態４の腕時計４００について説明する。図１１は、本発明の電子機器を適用した実施形態４としての腕時計４００の概略断面図である。腕時計４００を説明するにあたって、実施形態３の腕時計３００と同一の構成については、同一の符号を付して説明を省略する。
【００４９】
図１１に示すように、腕時計４００の時計ケース４０２は、略円筒形状からなるケース本体４０２Ａを備えて構成されている。
ケース本体４０２Ａの側面には底面側に開口した矩形状の二つの切欠部４２０Ａ、４２０Ａが形成されている。切欠部４２０Ａ、４２０Ａは、ケース本体４０２Ａにおいて６時方向と１２時方向の位置にそれぞれ設けられている。
【００５０】
腕時計４００のアンテナ４０５は、磁性体のコア４０５ａと、このコア４０５ａに巻回されたコイル５ｂとを備えて構成されている。コア４０５ａは、コア４０５ａの長手方向中央部分に位置する、略四角柱状の中央部５１と、中央部５１の両端部分に設けられた端部４５２、４５２とを備えている。
端部４５２は、中央部５１の両側から長手方向外側に向かって平面視において略三角状に幅が拡がって延出した拡幅部４５２ａと、拡幅部４５２ａの先端において３時および９時方向に向かって各々延出した延出部４５２ｂ、４５２ｂと、拡幅部４５２ｂのさらに長手方向外側に略矩形状に延出した矩形部４５２ｃと、矩形部４５２ｃからコア４０５ａの長手方向外側に突出するとともに、３時９時方向に間隔を開けて対向する２本のピン固定部４０２Ｐ、４０２Ｐを備える。従って、コア４０５ａの端面部４５３の面積は、中央部５１の断面積よりも大きくなるよう形成されている。
延出部４５２ｂ、４５２ｂの外形は、時計ケース４０２に設けられた切欠部４２０Ａの形状と略一致し、延出部４５２ｂ、４５２ｂの外表面は、ケース本体４０２Ａの外周面と同一の曲率の曲面となっている。
また、ピン固定部４０２Ｐ、４０２Ｐの間には、バンド１Ｂを取り付けて腕時計４００を腕に装着可能とするバンド固定ピン２Ｐが取り付けられ、このピン固定部４０２Ｐとバンド固定ピン２Ｐとによって、バンド取付部４０２Ｂを構成している。そして、ピン固定部４０２Ｐとバンド固定ピン２Ｐと矩形部４５２ｃとによって囲まれた領域に、略矩形状の貫通した開口部４３０Ａが形成される。
【００５１】
アンテナ４０５は、時計ケース４０２内部に、切欠部４２０Ａにアンテナ４０５の端部４５２の延出部４５２ｂを嵌め込んで、延出部４５２ｂがケース本体４０２Ａの側面と連続的に曲面を形成する位置であって、矩形部４５２ｃがケース本体４０２Ａから突出する位置に配置される。
【００５２】
腕時計４００によれば、腕時計１００と同様の効果が得られることは無論のこと、アンテナ４０５は、バンド固定ピン２Ｐにバンド１Ｂを接続させることができるので、コア４０５ａの露出部分をバンド取付部４０２Ｂとしてユーザに認識させることができることとなって、コア４０５ａと時計ケース４０２との外観が異なる場合であっても、その違いを際立たせることなく、見栄えを確保しながら高い受信感度を実現することができる。
更に、アンテナ４０５は、端部４５２に延出部４５２ｂを備えているので、実施形態３のアンテナ３０５に比べて、ケース本体４０２Ａから露出する面積を大きくすることができる。従って、標準電波を捕捉するコア４０５ａの両端面部４５３の面積が、中央部５１の断面積よりも充分に大きくなるよう形成されることとなって、アンテナ４０５の受信感度をさらに向上させることができるのみならず、受信可能な方向が大きく広がって、さらに指向性を緩和させることができる。
（実施形態５）
【００５３】
次に、本発明を実施するための実施形態５の腕時計５００について説明する。図１２は、本発明の電子機器を適用した実施形態５としての腕時計５００の概略断面図である。図１３は図１２のＸIII-ＸIII線での断面図である。腕時計５００を説明するにあたって、実施形態１の腕時計１００と同一の構成については、同一の符号を付して説明を省略する。
【００５４】
図１２、１３に示すように、腕時計５００の時計ケース５０２は、略円筒形状からなるケース本体５０２Ａと、ケース本体５０２Ａの側面から６時方向及び１２時方向にそれぞれ突出することによって形成されるバンド取付部５０２Ｂなどを備えて構成されている。
ケース本体５０２Ａの側面には、底面側に開口した矩形状の二つの切欠部５２０Ａ、５２０Ａが形成されている。
バンド取付部５０２Ｂ、５０２Ｂは、３時９時方向に間隔を開けて対向する２本のピン固定部５０２Ｐ、５０２Ｐと、ピン固定部５０２Ｐ、５０２Ｐの間に、バンド１Ｂを取り付けて腕時計５００を腕に装着可能とするバンド固定ピン２Ｐを備え、このピン固定部５０２Ｐとバンド固定ピン２Ｐとケース本体５０２Ａとによって囲まれた領域に、略矩形状の貫通した開口部５３０Ａが形成される。切欠部５２０Ａは、ケース本体５０２Ａにおけるバンド取付部５０２Ｂの付け根部分に形成され、バンド取付部５０２Ｂの開口部５３０Ａに臨むように設けられている。
【００５５】
アンテナ５０５は、磁性体のコア５０５ａと、このコア５０５ａに巻回されたコイル５ｂとを備えて構成される。コア５０５ａは、コア５０５ａの長手方向中央部分に位置する、略四角柱状の中央部５１と、中央部５１の両端部分に設けられた端部５５２、５５２とを備えている。
端部５５２は、中央部５１との境界面でやや３時方向に屈曲し、バンド取付部５０２Ｂの付け根部分で、コイル５ｂの軸線方向と略平行となる方向に屈曲してなる。また、端部５５２の端面部５５３の面積は、中央部５１の断面積よりも大きくなるように成形されている。また、切欠部５２０Ａに位置する端部５５２と裏蓋２ｃとの間に、絶縁材５０２ｈを設けることによって、端面部５５３とケース本体５０２Ａとが連続的な曲面を形成しないようにし、端部５５２がケース本体５０２Ａから成る導電体により周回されて、高周波的（交流的）にショート状態にならないように腕時計５００の側面が構成されている。絶縁材５０２ｈは、裏蓋２ｃと接触すると共に防水効果を有する。また、絶縁材５０２ｈとしては、例えば、塩化ビニル系、ポリエチレン系、エチレンプロピレン系の材料を用いることができる。
【００５６】
アンテナ５０５は、時計ケース５０２の切欠部５２０Ａに端部５５２を嵌め込み、開口部５３０Ａに端面部５５３が露出するように配置されている。
従って、バンド取付部５０２Ｂのバンド固定ピン２Ｐにバンド１Ｂが取り付けられることによって、バンド１Ｂと開口部５３０Ａに臨んで露出する端面部５５３とが対向することとなる。
【００５７】
腕時計５００によれば、腕時計１００と同様の効果が得られることは無論のこと、アンテナ５０５は、端面部５５３がバンド固定ピン２Ｐに取り付けられたバンド１Ｂに対向しているので、バンド固定ピン２Ｐにバンド１Ｂを取り付けることによって、コア５０５ａの両端面部５５３、５５３がバンド１Ｂに遮られて外部から見えにくくなることとなって、コア５０５ａと時計ケース５０２との外観が異なる場合であっても、その違いを際立たせずに、見栄えを損なうことなくコア５０５ａを露出させることができる。
（実施形態６）
【００５８】
次に、本発明を実施するための実施形態６について説明する。図１４は、本発明の電子機器を適用した実施形態６としての腕時計６００の概略断面図である。図１５は、図１４のＸV−ＸV線での断面図である。腕時計６００を説明するにあたって、実施形態１の腕時計１００と同一の構成について同一の符号を付して説明を省略する。
【００５９】
図１４、１５に示すように、腕時計６００の時計ケース６０２は、略円筒形状からなるケース本体６０２Ａと、ケース本体６０２Ａの６時方向及び１２時方向の側面から各々外方に突出して形成されるバンド取付部６０２Ｂなどを備えて構成されている。
ケース本体６０２Ａの側面には、底面側に開口した矩形状の二つの切欠部６２０Ａ、６２０Ａが形成されている。
バンド取付部６０２Ｂ、６０２Ｂは、３時９時方向に間隔を開けて対向する２本のピン固定部６０２Ｐ、６０２Ｐと、ピン固定部６０２Ｐ、６０２Ｐの間に、バンド１Ｂを取り付けて腕時計６００を腕に装着可能とするバンド固定ピン２Ｐを備え、このピン固定部６０２Ｐとバンド固定ピン２Ｐとケース本体６０２Ａとによって囲まれた領域に、略矩形状の貫通した開口部６３０Ａが形成される。
【００６０】
アンテナ６０５は、磁性体のコア６０５ａと、このコア６０５ａに巻回されたコイル５ｂとを備えて構成されている。
さらに、コア６０５ａは、時計ケース６０２の内側に配置される第１の磁性部材６１５と、時計ケース６０２から露出して配置される第２の磁性部材６２５と、第１の磁性部材６１５と第２の磁性部材６２５とを当接させた状態で連結してなる磁性材料からなる連結部材６３５などを備えて構成されている。
第１の磁性部材６１５は、略中央部分に位置する略四角柱状の中央部６１５ａと、中央部６１５ａの両端部に設けられ、中央部６１５ａとの境界面で３時９時方向に斜めに屈曲し、バンド取付部６０２Ｂの付け根部分で、中央部６１５ａの長手方向と略平行となる方向に屈曲する屈曲部６１５ｂ、６１５ｂとで構成される。屈曲部６１５ｂの端部には、連結部材６３５を通すためのねじ孔６１５ｃが設けられている。
第２の磁性部材６２５は、略直方体形状となっており、その断面積は、第１の磁性部材６１５の屈曲部６１５ｂにおける断面積よりも大きくされている。開口部６３０Ａに臨む第１の磁性部材６１５に当接する第２の磁性部材６２５の当接面には、屈曲部６１５ｂのねじ孔６１５ｃに対応するねじ穴６１５ｄが設けられている。そして、第１の磁性部材６１５のねじ孔６１５ｃに連結部材６３５を貫通させて第２の磁性部材６２５のねじ穴６１５ｄに挿入することにより、第１の磁性部材６１５と第２の磁性部材６２５とが当接した状態で連結されるようになっている。
即ち、コア６０５ａの端部６５２は、第１の磁性部材６１５の屈曲部６１５ｂと第２の磁性部材６２５および連結部材６３５によって構成されている。また、端部６５２の端面部６５３は、開口部６３０Ａに面した第２の磁性部材６２５の外表面により構成されている。従って、端面部６５３の面積は、中央部５１の断面積よりも大きくなるように形成されている。
【００６１】
また、切欠部６２０Ａに位置する端部６５２と裏蓋２ｃとの間に、絶縁材６０２ｈを設けることによって、端面部６５３とケース本体６０２Ａとが連続的な曲面を形成しないようにし、端部６５２がケース本体６０２Ａから成る導電体により周回されて、高周波的（交流的）にショート状態にならないように腕時計６００の側面が構成されている。絶縁材６０２ｈは、裏蓋２ｃと接触すると共に防水効果を有する。また、絶縁材６０２ｈとしては、例えば、塩化ビニル系、ポリエチレン系、エチレンプロピレン系の材料を用いることができる。
第１の磁性部材６１５と第２の磁性部材６２５および連結部材６３５はいずれも磁性体であれば良く、例えば透磁率が異なるといった異なる種類の部材であっても構わない。また、連結部材としては、例えば、ボルトやネジなどを用いることができ、その他にも好適な連結機能を有する部材を適宜用いることができる。
【００６２】
腕時計６００によれば、腕時計１と同様の効果が得られることは無論のこと、アンテナ６０５は、時計ケース６０２を挟んで第１の磁性部材６１５と第２の磁性部材６２５とが連結部材６３５で連結されてコア６０５ａが形成されるので、単体のコアに比べて構造設計の自由度を高めることができることとなって、デザイン性を高めたり、より時計ケース６０２との機密性を保てる構造にすることができる。
【００６３】
（変形例）
実施形態６の変形例である腕時計７００を図１６、１７に示した。図１６は、腕時計７００の概略断面図である。図１７は、図１６のＸVII−ＸVII線での断面図である。実施形態６と同様の構成については符号を付して説明を省略した。
【００６４】
アンテナ７０５は、磁性体のコア７０５ａと、このコア７０５ａに巻回されたコイル５ｂとを備えて構成されている。
コア７０５ａは、時計ケース６０２の内側に配置される第１の磁性部材７１５と、時計ケース６０２から露出して配置される第２の磁性部材７２５と、第１の磁性部材７１５と第２の磁性部材７２５とを当接させた状態で連結してなる磁性材料からなる連結部材６３５などを備えて構成される。
第１の磁性部材７１５は、略中央部分に位置する略四角柱状の中央部７１５ａと、中央部７１５ａの両端部に設けられ、中央部７１５ａとの境界面で３時９時方向に斜めに屈曲し、バンド取付部６０２Ｂの付け根部分で、中央部７１５ａの長手方向と略平行となる方向に屈曲する屈曲部７１５ｂとで成形される。屈曲部７１５ｂの端部には、連結部材６３５を通すためのねじ穴７１５ｃが設けられている。
開口部６３０Ａに臨む第１の磁性部材７１５に当接する第２の磁性部材７２５の当接面には、屈曲部７１５ｂのねじ穴７１５ｃに対応するねじ孔７１５ｄが設けられている。そして、第２の磁性部材７１５のねじ孔７１５ｄに連結部材６３５を貫通させて第１の磁性部材７１５のねじ穴７１５ｃに挿入することにより、第１の磁性部材７１５と第２の磁性部材７２５とが当接した状態で連結されるようになっている。
即ち、コア７０５ａの端部７２５は、第１の磁性部材７２５の屈曲部７１５ｂと第２の磁性部材７２５および連結部材６３５によって構成されている。端部７５２の端面部７５３は、開口部７３０Ａに設けられた第２の磁性部材７２５の外表面により構成される。従って、端面部７５３の面積は、中央部７１５ａの面積よりも大きくなるように形成されている。
【００６５】
また、切欠き部６２０Ａに位置する端部７５２と裏蓋２ｃとの間に、絶縁材６０２ｈを設けることによって、端面部７５３とケース本体６０２Ａとが連続的な曲面を形成しないようにし、端部７５２がケース本体７０２Ａから成る導電体により周回されて、高周波的（交流的）にショート状態にならないように腕時計７００の側面が構成されている。絶縁材６０２ｈとしては、例えば、塩化ビニル系、ポリエチレン系、エチレンプロピレン系の材料を用いることができる。
腕時計７００によれば、腕時計６００と同様の効果が得られることは無論のこと、コア７０５ａを構成する第２の磁性部材７２５側から連結部材６３５を締結することができるため、連結部材６３５の締付作業をより簡便に行うことができる。
なお、本発明の実施形態では、電子機器として腕時計型の電波時計に適用した場合について説明したが、本発明の適用はこれに限定されるものではない。例えば、車載用の電子機器や携帯無線端末などに適用されても良い。
また、実施形態２〜６におけるコアの材料は、実施形態１における材料と同じである。
【図面の簡単な説明】
【００６６】
【図１】本発明の実施形態１の腕時計における概略構成を示す平面図である。
【図２】図１のＩＩ−ＩＩ線における断面図である。
【図３】実施形態１の腕時計の右側面図である。
【図４】図３のＩＶ−ＩＶ線における端面部近傍の断面図である。
【図５】図３のＶ−Ｖ線における断面図である。
【図６】図５のアンテナにおける信号磁束の作用を説明するための図である。
【図７】実施形態１の腕時計の内部構成を示すブロック図である。
【図８】本発明の実施形態２の腕時計における図５に相当する断面図である。
【図９】本発明の実施形態３の腕時計における図５に相当する断面図である。
【図１０】図９のアンテナにおける信号磁束の作用を説明するための図である。
【図１１】本発明の実施形態４の腕時計における図５に相当する断面図である。
【図１２】本発明の実施形態５の腕時計における図５に相当する断面図である。
【図１３】図１２のＸIII−ＸIII線における断面図である。
【図１４】本発明の実施形態６の腕時計における図５に相当する断面図である。
【図１５】図１４のＸＶ−ＸＶ線における断面図である。
【図１６】実施形態６の変形例の腕時計における図５に相当する断面図である。
【図１７】図１６のＸVII−ＸVII線における断面図である。
【符号の説明】
【００６７】
１Ｂ  バンド
２、２０２、３０２、４０２、５０２、６０２  時計ケース
２Ａ、２０２Ａ、３０２Ａ、４０２Ａ、５０２Ａ、６０２Ａ  ケース本体
２Ｂ、３０２Ｂ、４０２Ｂ、５０２Ｂ、６０２Ｂ  バンド取付部
２０Ａ、２２０Ａ、３２０Ａ、４２０Ａ、５２０Ａ、６２０Ａ  切欠部
３０Ａ、３３０Ａ、４３０Ａ、５３０Ａ、６３０Ａ、７３０Ａ  開口部
５、２０５、３０５、４０５、５０５、６０５、７０５  アンテナ
５ａ、２０５ａ、３０５ａ、４０５ａ、５０５ａ、６０５ａ、７０５ａ  コア
５ｂ  コイル
５１、６１５ａ、７１５ａ  中央部
５２、２５２、３５２、４５２、５５２、６５２、７５２  端部
５３、２５３、３５３、４５３、５５３、６５３、７５３  端面部
６１５、７１５  第１の磁性部材
６２５、７２５  第２の磁性部材
６３５  連結部材
１００、２００、３００、４００、５００、６００、７００  腕時計
【図１】
2006115186.tif 000003
【図２】
2006115186.tif 000004
【図３】
2006115186.tif 000005
【図４】
2006115186.tif 000006
【図５】
2006115186.tif 000007
【図６】
2006115186.tif 000008
【図７】
2006115186.tif 000009
【図８】
2006115186.tif 000010
【図９】
2006115186.tif 000011
【図１０】
2006115186.tif 000012
【図１１】
2006115186.tif 000013
【図１２】
2006115186.tif 000014
【図１３】
2006115186.tif 000015
【図１４】
2006115186.tif 000016
【図１５】
2006115186.tif 000017
【図１６】
2006115186.tif 000018
【図１７】
2006115186.tif 000019